(57)【要約】【課題】記録媒体の目方向を検出することができる記録媒体検出装置、画像形成装置、画像形成システム、記録媒体の検出方法及びプログラムを提供する。【解決手段】記録媒体検出装置５０は、第１の検出方向と、第１の検出方向とは異なる第２の検出方向から記録媒体を検出可能なセンサ５１と、制御部を備えている。そして、制御部は、第１の検出方向から記録媒体Ｓを検出した第１表面性データＤ１と、第２の検出方向から記録媒体を検出した第２表面性データＤ２から記録媒体Ｓの目方向を判別する。【選択図】図８
2022001522.tif 000002
【特許請求の範囲】
【請求項１】
第１の検出方向と、前記第１の検出方向とは異なる第２の検出方向から記録媒体を検出可能なセンサと、
前記センサが前記第１の検出方向から前記記録媒体を検出した第１表面性データと、前記センサが前記第２の検出方向から前記記録媒体を検出した第２表面性データから前記記録媒体の目方向を判別する制御部と、
を備えた記録媒体検出装置。
【請求項２】
前記センサの配置状態を、前記センサの検出方向が前記第１の検出方向と平行をなす第１の配置状態と、前記第２の検出方向と平行をなす第２の配置状態に変更させる移動機構を備えた
請求項１に記載の記録媒体検出装置。
【請求項３】
前記センサは、
前記記録媒体を検出する検出方向が前記第１の検出方向となる第１センサと、
前記記録媒体を検出する検出方向が前記第２の検出方向となる第２センサと、を有する
請求項１に記載の記録媒体検出装置。
【請求項４】
前記制御部は、判別した前記記録媒体の目方向に応じて、前記記録媒体に施す処理の制御パラメータを変更する
請求項１から３のいずれか１項に記載の記録媒体検出装置。
【請求項５】
前記制御部は、今回判別した記録媒体の目方向が、前回判別した記録媒体の目方向と異なる場合は、今回判別した記録媒体に対して混在処理を行う
請求項１から３のいずれか１項に記載の記録媒体検出装置。
【請求項６】
前記第１の検出方向及び前記第２の検出方向のいずれか一つの検出方向は、前記記録媒体の搬送方向と平行をなす
請求項１から４のいずれか１項に記載の記録媒体検出装置。
【請求項７】
請求項１から６に記載の記録媒体検出装置を備えた画像形成装置。
【請求項８】
前記制御部は、前記画像形成装置が備える
請求項７に記載の画像形成装置。
【請求項９】
記録媒体に画像を形成する画像形成装置に、請求項１から６に記載の記録媒体検出装置が接続された画像形成システム。
【請求項１０】
記録媒体を第１の検出方向から検出する処理と、
前記記録媒体を前記第１の検出方向と異なる第２の検出方向から検出する処理と、
前記第１の検出方向で前記記録媒体を検出した第１表面性データと、前記第２の検出方向で前記記録媒体を検出した第２表面性データに基づいて、前記記録媒体の目方向を判別する処理と、
を含む記録媒体の検出方法。
【請求項１１】
記録媒体を第１の検出方向からセンサにより検出する手順と、
前記記録媒体を前記第１の検出方向と異なる第２の検出方向から前記センサにより検出する手順と、
前記センサが前記第１の検出方向で前記記録媒体を検出した第１表面性データと、前記センサが前記第２の検出方向で前記記録媒体を検出した第２表面性データに基づいて、前記記録媒体の目方向を制御部により判別する手順と、
をコンピューターに実行させるプログラム。
【発明の詳細な説明】
【技術分野】
【０００１】
本発明は、記録媒体を検出する記録媒体検出装置、記録媒体検出装置を備えた画像形成装置、記録媒体検出装置と画像形成装置が接続された画像形成システム、記録媒体の検出方法及びプログラムに関する。
【背景技術】
【０００２】
画像形成装置は、記録媒体に画像を形成する画像形成部を有しており、出力されたジョブ情報に基づいて、画像形成部を用いて記録媒体に画像を形成している。また、画像形成装置において画像を形成する前に、記録媒体検出装置によって、記録媒体のサイズや種類を検出することが行われている。
【０００３】
従来、この種の記録媒体検出装置としては、例えば、特許文献１に記載されているようなものがある。特許文献１には、記録媒体等の対象物に対して傾斜した方向から照射する照射系を含む照射手段と、対象物で互いに異なる方向に反射された複数の光を個別に検出する、検出系を含む検出手段と、照射系及び検出系の位置を変更する駆動系と、を備える技術が記載されている。
【０００４】
記録媒体の一例を示す用紙には、製造工程で生じる繊維の流れ目によりＴ目（縦目）と、Ｙ目（横目）の目方向がある。また、用紙には、繊維の流れ目に沿って微小な凹凸が生じる。そして、同じ種類の用紙でも、繊維の流れ目の目方向の違いにより、定着する際に生じるカール量が変化することが知られている。
【先行技術文献】
【特許文献】
【０００５】
【特許文献１】特開２０１７−２０８６９号公報
【発明の概要】
【発明が解決しようとする課題】
【０００６】
しかしながら、特許文献１に記載された技術では、記録媒体の種類を検出することはできるが、記録媒体に生じる目方向まで検出していなかった。その結果、特許文献１に記載された技術では、目方向の違いにより生じるカール量の変化によって、記録媒体の搬送性が悪化したり、記録媒体の積載性や外観性の悪化が生じたりしていた。
【０００７】
本発明は、上述のような従来の問題点に鑑み、記録媒体の目方向を検出することができる記録媒体検出装置、画像形成装置、画像形成システム、記録媒体の検出方法及びプログラムを提供することを目的とする。
【課題を解決するための手段】
【０００８】
上記課題を解決し、本発明の目的を達成するため、記録媒体検出装置は、センサと、制御部と、を備えている。センサは、第１の検出方向と、第１の検出方向とは異なる第２の検出方向から記録媒体を検出可能である。また、制御部は、センサが第１の検出方向から記録媒体を検出した第１表面性データと、センサが第２の検出方向から記録媒体を検出した第２表面性データから記録媒体の目方向を判別する。
【０００９】
本発明の画像形成装置は、上述した記録媒体検出装置を備える。また、本発明の画像形成システムは、画像形成装置に上述した記録媒体検出装置が接続される。
【００１０】
本発明の記録媒体の検出方法は、以下（１）から（３）に示す処理を含む。
（１）記録媒体を第１の検出方向から検出する処理。
（２）記録媒体を第１の検出方向と異なる第２の検出方向から検出する処理。
（３）第１の検出方向で記録媒体を検出した第１表面性データと、第２の検出方向で記録媒体を検出した第２表面性データに基づいて、記録媒体の目方向を判別する処理。
【００１１】
また、本発明のプログラムは、次の手順をコンピューターに実行させる。
記録媒体を第１の検出方向からセンサにより検出する手順。
記録媒体を第１の検出方向と異なる第２の検出方向からセンサにより検出する手順。
センサが第１の検出方向で記録媒体を検出した第１表面性データと、センサが第２の検出方向で記録媒体を検出した第２表面性データに基づいて、記録媒体の目方向を制御部により判別する手順。
【発明の効果】
【００１２】
上記構成の記録媒体検出装置、画像形成装置、画像形成システム、記録媒体の検出方法及びプログラムによれば、記録媒体の目方向を検出することができる。
【図面の簡単な説明】
【００１３】
【図１】本発明の第１の実施の形態例にかかる画像形成システムの全体構成を示す概略構成図である。
【図２】本発明の第１の実施の形態例にかかる画像形成システムのハードウエア構成を示すブロック図である。
【図３】本発明の第１の実施の形態例にかかる画像形成システムの検出部を示す概略構成図である。
【図４】本発明の第１の実施の形態例にかかる画像形成システムの検出部を示すもので、図４Ａはセンサが第１の配置状態であるときを示す説明図、図４Ｂはセンサが第２の配置状態であるときを示す説明図である。
【図５】図５Ａは目方向がＴ目の記録媒体を示す説明図、図５ＢはＴ目の記録媒体を検出する状態を示す図である。
【図６】図６Ａは目方向がＹ目の記録媒体を示す説明図、図６ＢはＹ目の記録媒体を検出する状態を示す説明図である。
【図７】Ｔ目の記録媒体とＹ目の記録媒体を検出した際の検出光量の違いを示すグラフである。
【図８】本発明の第１の実施の形態例にかかる画像形成システムにおける記録媒体の検出動作の第１の例を示すフローチャートである。
【図９】本発明の第１の実施の形態例にかかる画像形成システムにおける制御パラメータの一例を示すテーブルである。
【図１０】本発明の第２の実施の形態例にかかる画像形成システムにおける検出部を示す説明図である。
【図１１】本発明の第２の実施の形態例にかかる画像形成システムにおける記録媒体の検出動作を示すフローチャートである。
【図１２】検出動作の他の例を示すフローチャートである
【図１３】本発明の第３の実施の形態例にかかる画像形成システムの全体構成を示す概略構成図である。
【図１４】本発明の第３の実施の形態例にかかる画像形成システムにおける記録媒体検出装置を示す斜視図である。
【図１５】本発明の第３の実施の形態例にかかる画像形成システムにおける記録媒体検出装置を示すもので、図１５Ａは第１の挿入方向から記録媒体が挿入された状態を示す説明図、図１５Ｂは第２の挿入方向から記録媒体が挿入された状態を示す説明図である。
【図１６】本発明の第３の実施の形態例にかかる画像形成システムにおける記録媒体の検出動作を示すフローチャートである。
【図１７】本発明の第３の実施の形態例にかかる画像形成システムにおける記録媒体検出装置の変形例を示すもので、図１７Ａはセンサが第１の配置状態であるときを示す説明図、図１７Ｂはセンサが第２の配置状態であるときを示す説明図である。
【図１８】本発明の第３の実施の形態例にかかる画像形成システムにおける記録媒体検出装置の他の変形例を示す説明図である。
【発明を実施するための形態】
【００１４】
以下に、本発明を実施するための形態について、図１〜図１８を参照しながら説明する。なお、各図において共通の部材には、同一の符号を付している。また、本発明は、以下の形態に限定されるものではない。
【００１５】
１．実施の形態例
１−１．画像形成システムの構成
まず、本発明の第１の実施の形態例（以下、「本例」という。）にかかる画像形成システムの全体構成について説明する。図１は、本例の画像形成システム１の概略構成図である。
【００１６】
図１に示すように、画像形成システム１は、記録媒体の一例を示す用紙Ｓを給紙する給紙ユニット１０と、画像形成装置２０とを有している。給紙ユニット１０、画像形成装置２０、それぞれＬＡＮ等のネットワークに接続され、ネットワークを介して相互に接続されている。また、画像形成システム１は、用紙Ｓの搬送経路の上流側から、給紙ユニット１０、画像形成装置２０の順に並べて配置され、直列的に連なって接続されている。
【００１７】
給紙ユニット１０は、画像形成システム１の最上流に配置されている。複数の給紙トレイを備え、大量の用紙を収納可能に構成されている。給紙ユニット１０は、給紙トレイに収納された用紙Ｓを用紙搬送部により画像形成装置２０に給紙する。
【００１８】
なお、画像形成システム１として、給紙ユニット１０を設けた例を説明したが、これに限定されるものではなく、画像形成システム１としては、給紙ユニット１０を設けなくてもよい。
【００１９】
画像形成装置２０は、出力されたジョブ情報及び画像データに基づいて、給紙された用紙Ｓに対して画像を形成する。また、画像形成装置２０は、例えば電子写真方式により用紙Ｓに画像を形成する装置である。画像形成装置２０は、用紙搬送部２３０と、操作表示パネル２４０と、画像形成部２７０と、定着部２８０と、反転搬送部２９０とを備えている。また、画像形成装置２０は、用紙Ｓの種類や厚さ等を検出する検出部５０を備えている。すなわち、本例の画像形成システム１は、画像形成装置２０に検出部５０を設けている。
【００２０】
報知部を示す操作表示パネル２４０は、画像形成装置２０の筐体の上部に設置されている。操作表示パネル２４０は、表示パネルとタッチパネル（操作部）が重ねられた構成をしており、ユーザーによる操作及び情報の表示が可能となっている。
【００２１】
用紙搬送部２３０は、給紙ユニット１０や給紙トレイから給紙された用紙Ｓを、検出部５０、画像形成部２７０、定着部２８０、反転搬送部２９０や排紙トレイに搬送する。
【００２２】
画像形成部２７０は、例えば、複数色（シアン、マゼンダ、イエロー、ブラック等）の画像形成ユニットを備え、用紙にカラーのトナー画像を形成することができる。画像形成部２７０の用紙搬送方向の下流側には、トナー画像が形成された用紙が搬送される定着部２８０が配置されている。
【００２３】
定着部２８０は、搬送された用紙Ｓを加圧及び加熱することにより、用紙Ｓに転写されたトナー画像を用紙Ｓに定着する。定着部２８０により定着処理が行われた用紙Ｓは、用紙搬送部２３０により、反転搬送部２９０や排紙トレイに搬送される。
【００２４】
反転搬送部２９０は、用紙Ｓを反転させる反転部が設けられている。反転部により表裏又は前後が反転された用紙Ｓは、反転搬送部２９０を通って画像形成部２７０の上流側又は定着部２８０の下流側に搬送される。
【００２５】
検出部５０は、画像形成装置２０に備えられたインライン方式の記録媒体検出装置である。検出部５０は、画像形成装置２０における画像形成部２７０よりも用紙の搬送方向の上流側に配置されている。なお、検出部５０を設置する箇所は、上述した箇所に限定されるものではなく、例えば、画像形成装置２０における用紙Ｓを収容する給紙トレイの排出部に配置してもよい。
【００２６】
記録媒体検出装置の一例を示す検出部５０は、用紙設定処理時に、給紙ユニット１０や給紙トレイから搬送された用紙Ｓを搬送し、かつ用紙Ｓの物性値を検出する。そして、検出部５０は、検出した検出情報を画像形成装置２０に出力する。
【００２７】
検出部５０が検出する用紙Ｓの物性値としては、例えば、用紙Ｓの坪量、厚さ、表面性や、下地及び色等である。また、検出部５０は、用紙Ｓの物性値として用紙Ｓの目方向を検出する。
【００２８】
１−２．各装置のハードウエア構成
次に、図２を参照して各装置のハードウエア構成について説明する。
図２は、画像形成システムの各装置のハードウエア構成を示すブロック図である。
【００２９】
まず、給紙ユニット１０のハードウエア構成について説明する。
図２に示すように、給紙ユニット１０は、制御部１００と、通信部１１０、１２０と、用紙搬送部１３０と、メモリ１５０とを備えている。
【００３０】
制御部１００は、例えばＣＰＵ（Central Processing Unit）を有している。制御部１００は、通信部１１０、１２０、用紙搬送部１３０、メモリ１５０にシステムバスを介して接続され、給紙ユニット１０全体を制御する。
【００３１】
メモリ１５０は、ＲＡＭ等の揮発性メモリ又は大容量の不揮性メモリである。メモリ１５０には、制御部１００が実行するプログラム等が格納されており、また制御部１００の作業領域として使用される。
【００３２】
通信部１１０は、画像形成システム１の外部装置（クライアント端末、管理装置サーバ等や、モバイル端末）とデータの送信及び受信を行う。また、通信部１２０は、画像形成装置２０の通信部２１０とデータの送信及び受信を行う。
【００３３】
次に、画像形成装置２０のハードウエア構成について説明する。
画像形成装置２０は、制御部２００と、通信部２１０、と、用紙搬送部２３０、操作表示パネル２４０、メモリ２５０、画像処理部２６０、画像形成部２７０、定着部２８０、反転搬送部２９０、検出部５０を備えている。
【００３４】
判断部を示す制御部２００は、例えばＣＰＵ（Central Processing Unit）を有している。制御部２００は、通信部２１０、用紙搬送部２３０、操作表示パネル２４０、メモリ２５０、画像処理部２６０、画像形成部２７０、定着部２８０、反転搬送部２９０にシステムバスを介して接続され、画像形成装置２０全体を制御する。また、制御部２００は、通信部２１０を介して、給紙ユニット１０、検出部５０を制御する。すなわち、本例では、制御部２００が画像形成システム１全体を制御する。
【００３５】
記憶部を示すメモリ２５０は、ＲＡＭ等の揮発性メモリ又は大容量の不揮性メモリである。メモリ２５０には、制御部２００が実行するプログラム等が格納されており、また制御部２００の作業領域として使用される。また、メモリ２５０には、設定する用紙Ｓのサイズや種類を示す用紙設定情報が格納されている。設定される用紙Ｓの項目としては、例えば、用紙Ｓの目方向、下地色、紙種、坪量等が挙げられる。
【００３６】
画像処理部２６０は、外部から入力されたジョブ情報から画像データを取得し、画像処理を行う。画像処理部２６０は、制御部２００の制御のもと、受信した画像データに対し、必要に応じて、シェーディング補正、画像濃度調整、画像圧縮等の画像処理を行う。そして、画像処理部２６０によって処理された画像データは、画像形成部２７０に送信される。画像形成部２７０は、画像処理部２６０によって画像処理された画像データを受け取り、画像データに基づいて用紙Ｓの上に画像を形成する。
【００３７】
操作表示パネル２４０は、液晶表示装置（ＬＣＤ）又は有機ＥＬＤ（Electro Luminescence Display）等のディスプレイからなるタッチパネルである。この操作表示パネル２４０は、出力部及び入力部の一例であり、ユーザーに対する指示メニューや取得した画像データに関する情報等を表示する。さらに、操作表示パネル２４０は、複数のキーを備え、ユーザーのキー操作による各種の指示、文字、数字などのデータの入力を受け付けて、入力信号を制御部２００に出力する。
【００３８】
検出部５０は、用紙Ｓを搬送すると共に、用紙Ｓの厚さ及び目方向を含む用紙Ｓの物性値を検出する。そして、検出部５０が検出した情報は、制御部２００に送信される。制御部２００は、検出部５０から出力された情報に基づいて、用紙Ｓに対する制御パラメータを変更する。
【００３９】
１−３．記録媒体検出装置の構成例
次に、記録媒体検出装置である検出部５０の構成について図３、図４Ａ及び図４Ｂを参照して説明する。
図３は、検出部５０を示す概略構成図である。図４Ａ及び図４Ｂは、検出部５０が用紙Ｓを検出する状態を示すもので、図４Ａは第１の配置状態で検出する例を示し、図４Ｂは第２の配置状態で検出する例を示している。
【００４０】
図３に示すように、検出部５０は、センサ５１と、複数の搬送ローラ５７と、一対の搬送ガイド板とを有している。一対の搬送ガイド板は、用紙Ｓの搬送方向と直交し、かつ用紙Ｓの幅方向とも直交する厚さ方向において所定の間隔を空けて対向する。複数の搬送ローラ５７は、センサ５１における搬送方向の上流側と下流側に配置されている。複数の搬送ローラ５７は、一対の搬送ガイド板を通過する用紙Ｓを挟持し、搬送する。また、
【００４１】
センサ５１は、用紙Ｓが搬送される搬送路において厚さ方向の一側に配置されている。センサ５１は、受光部７１と、発光部７２とを有している。発光部７２は、用紙Ｓに向けて光Ｌを照射する。受光部７１は、発光部７２から照射されて用紙Ｓによって反射された光Ｌを受光する。そして、センサ５１は、受光部７１が受光した受光信号に基づいて、用紙Ｓの目方向を検出する。
【００４２】
図４Ａ及び図４Ｂに示すように、センサ５１は、不図示の移動機構により移動可能に支持されている。なお、本例では、センサ５１は、用紙Ｓの搬送方向と平行をなす平面において略９０度の角度範囲で回転する。
【００４３】
移動機構が駆動することで、センサ５１は、第１の配置状態と第２の配置状態との間で配置状態が変更される。図４Ａに示すように、センサ５１が第１の配置状態であるとき、受光部７１と発光部７２は、用紙Ｓの搬送方向と直交する方向に沿って配置される。そのため、発光部７２は、用紙Ｓの搬送方向と直交する方向に光Ｌを照射する。そして、センサ５１が第１の配置状態であるとき、センサ５１の検出方向は、用紙Ｓの搬送方向と直交する。このときのセンサ５１の検出方向を第１の検出方向とする。
【００４４】
また、図４Ｂに示すように、センサ５１が第２の配置状態であるとき、受光部７１と発光部７２は、用紙Ｓの搬送方向と平行をなす方向に沿って配置される。そのため、発光部７２は、用紙Ｓの搬送方向と平行をなす方向に光Ｌを照射する。そして、センサ５１が第２の配置状態であるとき、センサ５１の検出方向は、用紙Ｓの搬送方向と平行をなす。このときのセンサ５１の検出方向を第２の検出方向とする。
【００４５】
すなわち、センサ５１が第１の配置状態から第２の配置状態に変更されることで、用紙Ｓに対して照射する光の方向、いわゆる検出方向が９０度回転する。そのため、第１の検出方向と第２の検出方向は、直交する。
【００４６】
センサ５１の配置状態を移動（変更）させる移動機構としては、例えば、ステッピングモータやソレノイド等その他各種の移動機構が適用できるものである。移動機構としてステッピングモータを適用した場合、ステッピングモータの角度を制御することでセンサ５１を第１の配置状態と第２の配置状態に移動させる。また、移動機構としてソレノイドを適用した場合、例えば、ソレノイドがＯＮの状態でセンサ５１を第１の配置状態から第２の配置状態に引っ張り、ソレノイドがＯＦＦの状態で第２の配置状態から第１の配置状態に戻す。
【００４７】
１−４．記録媒体の目方向と検出光量の違い
ここで、図５Ａから図７を参照して記録媒体である用紙Ｓの目方向と受光部７１で受光される検出光量の違いについて説明する。
【００４８】
図５Ａ及び図５Ｂは、用紙Ｓの目方向が搬送方向と平行をなす方向、いわゆる目方向がＴ目を示し、図６Ａ及び図６Ｂは用紙Ｓの目方向が搬送方向と直交する方向、いわゆる目方向がＹ目を示している。また、図５Ａ及び図６Ａは用紙Ｓを示す説明図、図５Ｂ及び図６Ｂは用紙Ｓを検出する状態を示す説明図である。なお、センサ５１の配置状態は、図５Ａから図６Ｂではいずれも第１の配置状態であり、第１の検出方向で用紙Ｓを検出する例について説明する。
【００４９】
図７は、用紙Ｓの目方向と受光部７１で受光される検出光量の違いを示すグラフである。図７に示す縦軸は検出光量を示し、横軸はサンプルＮｏ．を示している。そして、図７における奇数ＮＯ．はＹ目の用紙Ｓを示し、偶数Ｎｏ．はＴ目の用紙Ｓを示している。
【００５０】
図５Ａ及び図５Ｂに示すように、用紙Ｓの目方向がＴ目では、用紙Ｓの繊維の流れ目に沿って生じる微小な凹凸Ｓ１は、搬送方向と平行になる。すなわち、センサ５１が第１の配置状態にある場合、用紙Ｓの凹凸Ｓ１は、センサ５１の検出方向と直交する。
【００５１】
図５Ｂに示すように、Ｔ目の用紙Ｓの場合、発光部７２から照射された光Ｌは、用紙Ｓの凹凸Ｓ１によって乱反射する。そして、受光部７１に入射する光量が低下するため、図７に示すように受光部７１の検出光量が小さくなる。
【００５２】
これに対して、図６Ａ及び図６Ｂに示すように、用紙Ｓの目方向がＹ目では、用紙Ｓの繊維の流れ目に沿って生じる微小な凹凸Ｓ１は、搬送方向と直交する。すなわち、センサ５１が第１の配置状態にある場合、用紙Ｓの凹凸Ｓ１は、センサ５１の検出方向と平行をなす。
【００５３】
図６Ｂに示すように、Ｙ目の用紙Ｓの場合、発光部７２から照射された光Ｌは、用紙Ｓの凹凸Ｓ１によって乱反射されにくい。そのため、受光部７１に入射する光量が低下しにくくなり、図７に示すように受光部７１の検出光量は、Ｔ目の用紙Ｓより大きくなる。
【００５４】
１−５．記録媒体の検出動作
次に、上述した構成を有する画像形成システム１における記録媒体である用紙Ｓの検出動作例について図８及び図９を参照して説明する。
図８は、検出動作例を示すフローチャートである。
【００５５】
まず、給紙ユニット１０の制御部１００は、用紙搬送部１３０を制御し、用紙Ｓを画像形成装置２０に給紙する。そして、画像形成装置２０の制御部２００は、用紙搬送部２３０を制御し、給紙ユニット１０から給紙された用紙Ｓを検出部５０まで搬送する。用紙Ｓが検出部５０まで搬送されると、制御部２００は、用紙Ｓの搬送を一時停止させる。
【００５６】
図８に示すように、制御部２００は、検出部５０を制御し、用紙Ｓの表面性を検出する（ステップＳ１１）。ステップＳ１１の処理では、センサ５１は、第１の配置状態であり、センサ５１は、第１の検出方向で用紙Ｓの表面性を検出する。
【００５７】
次に、制御部２００は、検出部５０からステップＳ１１の処理で検出したデータ、すなわちセンサ５１が第１の検出方向で検出した表面性データ（以下、第１表面性データという）Ｄ１を取得する（ステップＳ１２）。第１表面性データＤ１を取得すると、検出部５０又は制御部２００は、移動機構を駆動し、センサ５１の配置状態を第２の配置状態に変更させる（ステップＳ１３）。
【００５８】
センサ５１の配置状態が第２の配置状態に変更されると、制御部２００は、検出部５０を制御し、第２の配置状態から用紙Ｓの表面性を検出する（ステップＳ１４）。すなわち、センサ５１は、第２の検出方向から用紙Ｓの表面性を検出する。
【００５９】
ここで、ステップＳ１１の処理及びステップＳ１４の処理における用紙Ｓの表面性の検出動作は、用紙Ｓの搬送を停止した状態で行われる。そのため、搬送によって生じる用紙Ｓとセンサ５１との間隔のばらつきを防ぐことができる。これにより、検出部５０での検出精度を向上させることができる。なお、ステップＳ１１からステップＳ１４までの処理は、用紙Ｓを搬送させながら実施してもよい。
【００６０】
次に、制御部２００は、検出部５０からステップＳ１４の処理で検出したデータ、すなわちセンサ５１が第２の検出方向で検出した表面性データ（以下、第２表面性データ）Ｄ２を取得する（ステップＳ１５）。そして、制御部２００は、第１表面性データＤ１の値が第２表面性データＤ２の値よりも大きいか否かを判断する（ステップＳ１６）。
【００６１】
ステップＳ１６の処理において、第１表面性データＤ１の値が第２表面性データＤ２の値よりも大きいと判断した場合（ステップＳ１６のＹＥＳ判定）、制御部２００は、用紙Ｓの目方向が搬送方向と直交するＹ目であると判断する。そして、制御部２００は、制御パラメータをＹ目の用紙Ｓに合わせた搬送／後処理系の制御パラメータへ変更する（ステップＳ１７）。
【００６２】
これに対して、ステップＳ１６の処理において、第１表面性データＤ１の値が第２表面性データＤ２の値よりも大きくないと判断した場合（ステップＳ１６のＮＯ判定）、制御部２００は、用紙Ｓの目方向が搬送方向と平行をなすＴ目であると判断する。そして、制御部２００は、制御パラメータをＴ目の用紙Ｓに合わせた搬送／後処理系の制御パラメータへ変更する（ステップＳ１８）。これにより、画像形成システム１による用紙Ｓの検出動作が完了する。
【００６３】
図９は、制御パラメータの一例を示すパラメータ設定テーブルである。図９における用紙Ａは薄紙を示し、用紙Ｂは厚紙を示している。図９に示すパラメータ設定テーブルは、例えば、メモリ２５０に格納されている。そして、各種制御パラメータは、用紙Ｓの種類と目方向ごとに予め設定される。なお、各種パラメータは、用紙Ｓの種類だけでなく、坪量やサイズごとに設定してもよい。
【００６４】
図９における「折り力量」は、画像形成装置２０の下流側に配置される後処理装置において用紙Ｓを折り曲げる際の力量である。なお、図９に示す例では、折れ線が用紙Ｓを搬送方向と直交する方向に形成される例を示している。
【００６５】
「デカーラ圧」は、用紙Ｓのカールを矯正するデカール機構により用紙Ｓの押圧量である。「反転モータ電流」は、反転搬送部２９０に設けられた搬送ローラを駆動する駆動モータへの電流値であり、「搬送モータ電流」は、用紙搬送部２３０に設けられた搬送ローラを駆動する駆動モータへの電流値である。そして、「分離ＦＡＮ」は、給紙ユニット１０に設けられてトレイに積載された用紙Ｓを分離させるためのＦＡＮの風量を示している。
【００６６】
用紙Ｓの折り曲げ処理は、用紙Ｓの繊維に沿ったほうが折れやすい。そのため、「折り力量」は、Ｔ目の用紙よりもＹ目の用紙のほうが小さく設定される。用紙Ｓのカールは、繊維に沿って発生しやすいため、「デカーラ圧」は、Ｔ目の用紙よりもＹ目の用紙のほうが大きく設定される。
【００６７】
搬送方向と用紙Ｓの目方向が同じ、すなわち平行な場合、用紙Ｓが搬送経路に沿いにくくなり搬送モータの負荷が上昇する。そのため、「反転モータ電流」及び「搬送モータ電流」は、Ｙ目の用紙よりもＴ目の用紙のほうが大きく設定される。また、用紙Ｓは、カール量により互いに分離しにくくなる。そして、図９に示す例では、「分離ＦＡＮ」の風量をＴ目の用紙よりもＹ目の用紙のほうが大きくなるように設定している。
【００６８】
なお、用紙Ｓに行う処理の制御パラメータは、図９に示す例に限定されるものではなく、定着部２８０におけるニップ圧や画像形成部２７０での転写及び分離電流等その他各種の制御パラメータが適用できるものである。
【００６９】
本例の画像形成システム１によれば、用紙Ｓの物性値として、用紙Ｓの目方向の検出することができる。そして、図９に示すように、用紙Ｓの目方向に合わせて各種制御パラメータを変更することで、用紙Ｓの目方向に合わせた搬送処理や積載処理等を行うことができ、用紙Ｓの搬送性や積載性等の各種処理の精度や効率の向上を図ることができる。
【００７０】
本例の検出部５０では、センサ５１を９０度回転させて、第１の検出方向と第２の検出方向を直交させる例を説明したが、これに限定されるものではない。センサ５１の回転角度は、９０度未満でもよく、センサ５１におけう第１の検出方向と第２の検出方向は、交差していればよい。なお、第１の検出方向と第２の検出方向を直交させることで、第１表面性データＤ１と第２表面性データＤ２の差を大きくし、検出精度を高めることができる。
【００７１】
２．第２の実施の形態例
次に、図１０及び図１１を参照して第２の実施の形態例にかかる画像形成システムについて説明する。
図１０は、第２の実施の形態例にかかる画像形成システムの検出部を示す説明図である。
【００７２】
この第２の実施の形態例にかかる画像形成システムが、第１の実施の形態例にかかる画像形成システム１と異なる点は、記録媒体検出装置である検出部の構成である。そのため、ここでは、検出部について説明し、第１の実施の形態例にかかる画像形成システム１と共通する部分には同一の符号を付し、重複した説明は省略する。
【００７３】
図１０に示すように、検出部５０Ａは、第１センサ５１Ａと、第２センサ５１Ｂとを有している。第１センサ５１Ａは、第１受光部７１Ａと、第１発光部７２Ａとを有している。第１受光部７１Ａは、第１発光部７２Ａから照射され用紙Ｓによって反射された光を受光する。第１センサ５１Ａの第１受光部７１Ａと第１発光部７２Ａは、第１の実施の形態例にかかるセンサ５１の第１の配置状態と同様に、用紙Ｓの搬送方向と直交する方向に沿って配置される。すなわち、第１センサ５１Ａの検出方向は、用紙Ｓの搬送方向と直交する。そして、第１センサ５１Ａの検出方向を第１の検出方向とする。
【００７４】
第２センサ５１Ｂは、第２受光部７１Ｂと、第２発光部７２Ｂとを有している。第２受光部７１Ｂは、第２発光部７２Ｂから照射され用紙Ｓによって反射された光を受光する。第２センサ５１Ｂの第２受光部７１Ｂと第２発光部７２Ｂは、第１の実施の形態例にかかるセンサ５１の第２の配置状態と同様に、用紙Ｓの搬送方向と平行をなす方向に沿って配置される。すなわち、第２センサ５１Ｂの検出方向は、用紙Ｓの搬送方向と平行をなす。そして、第２センサ５１Ｂの検出方向を第２の検出方向とする。
【００７５】
なお、第１センサ５１Ａの第１の検出方向と第２センサ５１Ｂの第２の検出方向が、直交する例を説明したが、これに限定されるものではなく、第１センサ５１Ａの第１の検出方向と第２センサ５１Ｂの第２の検出方向は、交差していればよい。
【００７６】
次に、図１１を参照して第２の実施の形態例にかかる画像形成システムにおける用紙の検出動作について説明する。
図１１は、検出動作例を示すフローチャートである。なお、第２の実施の形例にかかる画像形成システムにおいても、用紙Ｓを検出部５０Ａまで搬送した後、用紙Ｓの搬送を一時停止させて検出動作が行われる。
【００７７】
図１１に示すように、制御部２００は、検出部５０Ａを制御し、第１センサ５１Ａ及び第２センサ５１Ｂを用いて用紙Ｓの表面性を検出する（ステップＳ２１）。すなわち、第１センサ５１Ａを用いて第１の検出方向から用紙Ｓの表面性を検出すると共に、第２センサ５１Ｂを用いて第２の検出方向から用紙Ｓの表面性を検出する。
【００７８】
次に、制御部２００は、第１センサ５１Ａが検出した表面性データ（以下、第１表面性データという）Ｄ１を取得する（ステップＳ２２）。また、制御部２００は、第２センサ５１Ｂが検出した表面性データ（以下、第２表面性データという）Ｄ２を取得する（ステップＳ２３）。
【００７９】
第１表面性データＤ１及び第２表面性データＤ２を取得すると、制御部２００は、第１表面性データＤ１の値が第２表面性データＤ２の値よりも大きいか否かを判断する（ステップＳ２４）。ステップＳ２４の処理において、第１表面性データＤ１の値が第２表面性データＤ２の値よりも大きいと判断した場合（ステップＳ２４のＹＥＳ判定）、制御部２００は、用紙Ｓの目方向が搬送方向と直交するＹ目であると判断する。そして、制御部２００は、制御パラメータをＹ目の用紙Ｓに合わせた搬送／後処理系の制御パラメータへ変更する（ステップＳ２５）。
【００８０】
これに対して、ステップＳ２４の処理において、第１表面性データＤ１の値が第２表面性データＤ２の値よりも大きくないと判断した場合（ステップＳ２４のＮＯ判定）、制御部２００は、用紙Ｓの目方向が搬送方向と平行をなすＴ目であると判断する。そして、制御部２００は、制御パラメータをＴ目の用紙Ｓに合わせた搬送／後処理系の制御パラメータへ変更する（ステップＳ２６）。これにより、画像形成システムによる用紙Ｓの検出動作が完了する。
【００８１】
なお、その他の構成は第１の実施の形態例にかかる画像形成システム１と同様であるため、その説明は省略する。このような構成を有する検出部５０Ａを備えた画像形成システムにおいても、第１の実施の形態例にかかる画像形成システム１と同様の作用及び効果を有することができる。
【００８２】
３．検出動作の他の例
次に、図１２を参照して記録媒体の検出動作の他の例について説明する。
図１２は、他の例にかかる検出動作を示すフローチャートである。なお、図１２に示す検出動作では、検出部として第２の実施の形態例にかかる検出部５０Ａを用いて例について説明する。また、図１２に示す検出動作例は、設定されたジョブとして複数枚の用紙Ｓに対して画像形成処理を行う動作例である。
【００８３】
まず、図１２に示すように、制御部２００は、検出部５０Ａを制御し、第１センサ５１Ａ及び第２センサ５１Ｂを用いて用紙Ｓの表面性を検出する（ステップＳ３１）。次に、制御部２００は、第１センサ５１Ａが検出した表面性データ（以下、第１表面性データという）Ｄ１を取得する（ステップＳ３２）。また、制御部２００は、第２センサ５１Ｂが検出した表面性データ（以下、第２表面性データという）Ｄ２を取得する（ステップＳ３３）。
【００８４】
次に、制御部２００は、第１表面性データＤ１と第２表面性データＤ２から用紙Ｓの目方向を判断する（ステップＳ３４）。ステップＳ３４の処理では、制御部２００は、第２表面性データＤ２よりも第１表面性データＤ１の値が大きいと判断した場合、今回検出を行った用紙Ｓの目方向はＹ目であると判断する。また、制御部２００は、第１表面性データＤ１よりも第２表面性データＤ２の値が大きいと判断した場合、今回検出を行った用紙Ｓの目方向はＴ目であると判断する。そして、制御部２００は、判断した目方向に関する情報をメモリ２５０に格納する。
【００８５】
次に、制御部２００は、今回検出を行った用紙Ｓの目方向が、前回検出を行った用紙Ｓの目方向と同一であるか否かを判断する（ステップＳ３５）。ここで、前回検出を行った用紙Ｓとは、現在検出を行った用紙Ｓよりも一つ前に検出部５０Ａに搬送された用紙Ｓのことである。
【００８６】
ステップＳ３５の処理において、前回の用紙Ｓと今回の用紙Ｓの目方向が同一でないと判断した場合（ステップＳ３５のＮＯ判定）、制御部２００は、用紙混在時の処理を実行する（ステップＳ３６）。ステップＳ３６における用紙混在時の処理は、例えば、操作表示パネル２４０に目方向が異なる用紙Ｓが混在している旨を表示し、使用者に通知する。または、制御部２００は、用紙搬送部２３０を制御し、今回検出を行った用紙Ｓを、前回検出を行った用紙Ｓとは異なる排紙トレイに搬送する。そして、ステップＳ３６の処理が終了すると、制御部２００は、ジョブを一時的に終了させる。
【００８７】
また、ステップＳ３５の処理において、前回の用紙Ｓと今回の用紙Ｓの目方向が同一であると判断した場合（ステップＳ３５のＹＥＳ判定）、制御部２００は、ジョブが終了したか否かを判断する（ステップＳ３７）。ステップＳ３７の処理において、ジョブが終了していないと制御部２００が判断した場合（ステップＳ３７のＮＯ判定）、次に画像形成処理を行う用紙Ｓの検出動作を行う。すなわち、ステップＳ３１の処理に戻り、上述した処理を再び行う。
【００８８】
ステップＳ３７の処理において、ジョブが終了したと制御部２００が判断した場合（ステップＳ３７のＹＥＳ判定）、用紙Ｓの検出動作及びジョブが終了する。
【００８９】
図１２に示す検出動作例においても、用紙Ｓの目方向を検出することで、目方向が異なる用紙Ｓが混在することを防止することができ、用紙Ｓの搬送性や積載性等が低下することを抑制することができる。
【００９０】
なお、図１２に示す検出動作は、第１センサ５１Ａと第２センサ５１Ｂを設けた第２の実施の形態例にかかる画像形成システムに限定されるものではない。センサ５１が第１の配置状態と第２の配置状態で変更可能な第１の実施の形態例にかかる画像形成システム１においても、図１２に示す検出動作を行うことができる。
【００９１】
４．第３の実施の形態例
次に、図１３から図１６を参照して第３の実施の形態例にかかる画像形成システムについて説明する。
図１３は、第３の実施の形態例にかかる画像形成システムの概略構成図である。
【００９２】
この第３の実施の形態例にかかる画像形成システムが、第１の実施の形態例にかかる画像形成システム１と異なる点は、記録媒体検出装置が画像形成装置２０の外側において、画像形成装置２０に着脱可能に接続される点である。そのため、第１の実施の形態例にかかる画像形成システム１と共通する部分には同一の符号を付し、重複した説明は省略する。
【００９３】
図１３に示すように、画像形成システム１Ａは、給紙ユニット１０と、画像形成装置２０Ａと、記録媒体検出装置３００とを備えている。給紙ユニット１０の構成は、第１の実施の形態例にかかる給紙ユニット１０と同一であるため、その説明は省略する。また、画像形成装置２０Ａは、第１の実施の形態例にかかる画像形成装置２０から検出部５０を除いたものであり、その他の構成は同一であるため、その説明は省略する。
【００９４】
記録媒体検出装置３００は、いわゆるオフライン方式の記録媒体検出装置である。記録媒体検出装置３００は、画像形成装置２０Ａに着脱可能に接続される。記録媒体検出装置３００は、画像形成装置２０Ａや給紙ユニット１０に対してＬＡＮ等のネットワークに接続され、ネットワークを介して相互に接続されている。なお、記録媒体検出装置３００は、着脱式に限定されるものではなく、画像形成装置２０Ａに一体に接続されていてもよい。
【００９５】
図１４は、記録媒体検出装置３００を示す斜視図である。
図１４に示すように、記録媒体検出装置３００は、センサ３５１（図１５Ａ及び図１５Ｂ参照）と、センサ３５１が内蔵された検出ユニット３０１と、不図示の制御部と、を備えている。検出ユニット３０１には、使用者によって用紙Ｓを挿入可能な挿入口３０２が形成されている。
【００９６】
図１５Ａ及び図１５Ｂは、記録媒体検出装置３００のセンサ３５１を示す説明図である。
図１５Ａ及び図１５Ｂに示すように、センサ３５１は、受光部３７１と、発光部３７２とを有している。受光部３７１は、発光部３７２から照射されて用紙Ｓによって反射された光を受光する。受光部３７１と発光部３７２は、用紙Ｓにおける挿入口３０２への挿入方向と直交する方向に沿って配置される。そのため、センサ３５１の検出方向は、用紙Ｓの挿入方向と直交する。
【００９７】
次に、図１６を参照して第３の実施の形態例にかかる画像形成システムにおける用紙の検出動作について説明する。
図１６は、検出動作例を示すフローチャートである。なお、図１６に示す検出動作は、用紙Ｓを給紙ユニット１０にセットする前に行われる。
【００９８】
図１６に示すように、画像形成装置２０の制御部２００は、使用者に対して、挿入口３０２への用紙Ｓの挿入方向が、画像形成装置２０での用紙Ｓの搬送方向と同じ方向（以下、第１の挿入方向という）となるように報知する。なお、使用者への報知方法としては、音声でもよく、あるいは画像形成装置２０の操作表示パネル２４０に情報を表示させてもよく、その他各種の方法を用いることができる。そして、使用者は、用紙Ｓの搬送方向と同じ第１の挿入方向から用紙Ｓを挿入口３０２に挿入する（ステップＳ４１）。
【００９９】
図１５Ａに示すように、用紙Ｓが挿入口３０２に対して第１の挿入方向で挿入されると、センサ３５１は、用紙Ｓの表面性を検出する（ステップＳ４２）。上述したように、センサ３５１の挿入方向は、用紙Ｓの挿入方向と直交している。そして、画像形成装置２０の制御部２００は、センサ３５１が検出した第１の挿入方向での表面性データ（以下、第１表面性データという）Ｄ１を取得する（ステップＳ４３）。
【０１００】
第１表面性データＤ１を取得すると、画像形成装置２０の制御部２００は、使用者に対して、挿入口３０２への用紙Ｓの挿入方向が、第１の挿入方向とは異なる方向（以下、第２の挿入方向という）となるように報知する。なお、本例では、第２の挿入方向は、第１の挿入方向と直交する方向を示す。しかしながら、第１の挿入方向と第２の挿入方向は、直交に限定されるものではなく交差していればよい。そして、使用者は、用紙Ｓを第２の挿入方向から挿入口３０２に挿入する（ステップＳ４４）。
【０１０１】
図１５Ｂに示すように、用紙Ｓが挿入口３０２に対して第２の挿入方向で挿入されると、センサ３５１は、用紙Ｓの表面性を検出する（ステップＳ４５）。また、画像形成装置２０の制御部２００は、センサ３５１が検出した第２の挿入方向での表面性データ（以下、第２表面性データという）Ｄ２を取得する（ステップＳ４６）。
【０１０２】
第１表面性データＤ１及び第２表面性データＤ２を取得すると、制御部２００は、第１表面性データＤ１の値が第２表面性データＤ２の値よりも大きいか否かを判断する（ステップＳ４７）。ステップＳ４７の処理において、第１表面性データＤ１の値が第２表面性データＤ２の値よりも大きいと判断した場合（ステップＳ４７のＹＥＳ判定）、制御部２００は、用紙Ｓの目方向が挿入口３０２への第１の挿入方向、すなわち搬送方向と直交するＹ目であると判断する。そして、制御部２００は、制御パラメータをＹ目の用紙Ｓに合わせた搬送／後処理系の制御パラメータへ変更する（ステップＳ４８）。
【０１０３】
これに対して、ステップＳ４７の処理において、第１表面性データＤ１の値が第２表面性データＤ２の値よりも大きくないと判断した場合（ステップＳ４７のＮＯ判定）、制御部２００は、用紙Ｓの目方向が挿入口３０２への第２の挿入方向と直交すると判断する。なお、第２の挿入方向は、搬送方向と直交するため、用紙Ｓの目方向は、Ｔ目であると分かる。そして、制御部２００は、制御パラメータをＴ目の用紙Ｓに合わせた搬送／後処理系の制御パラメータへ変更する（ステップＳ１８）。これにより、画像形成システム１Ａによる用紙Ｓの検出動作が完了する。
【０１０４】
なお、上述した動作例では、画像形成装置２０の制御部２００が判断する例を説明したが、これに限定されるものではない。例えば、記録媒体検出装置３００の制御部が用紙Ｓの目方向を検出すると共に制御パラメータの選択処理を行い、検出した情報及び選択した制御パラメータを制御部２００に出力してもよい。または、記録媒体検出装置３００は、用紙Ｓの目方向を判別した後、音声や操作表示パネル２４０を介して使用者に用紙Ｓの目方向に関する情報を報知してもよい。
【０１０５】
また、ステップＳ４１の処理において、第１の挿入方向が搬送方向となるように使用者に報知する例を説明したが、これに限定されるものではない。例えば、挿入口３０２に対する用紙Ｓの１回目の挿入方向が搬送方向であると、制御部２００又は記録媒体検出装置３００が判断してもよい。
【０１０６】
このように、オフライン方式の記録媒体検出装置３００が接続された画像形成システム１Ａにおいても、第１の実施の形態例にかかる画像形成システム１と同様の作用及び効果を有することができる。
【０１０７】
５．変形例
次に、第３の実施の形態例にかかる画像形成システムの変形例について図１７Ａ及び図１７Ｂを参照して説明する。なお、第３の実施の形態例にかかる画像形成システム１Ａと異なる点は、記録媒体検出装置のセンサのみであるため、ここではセンサについて説明し、その他の説明は省略する。
図１７Ａ及び図１７Ｂは、記録媒体検出装置の変形例を示す説明図である。
【０１０８】
図１７Ａ及び図１７Ｂに示すように、記録媒体検出装置３００Ａの検出ユニット３０１内には、センサ３６１が配置されている。センサ３６１は、受光部３７１と、発光部３７２とを有している。センサ３６１は、第１の実施の形態例にかかるセンサ５１と同様に、不図示の移動機構によりその配置状態が第１の配置状態と第２の配置状態に移動可能に構成されている。
【０１０９】
図１７Ａに示すように、センサ３６１が第１の配置状態であるとき、受光部３７１と発光部３７２は、挿入口３０２に対する用紙Ｓの挿入方向と直交する方向に沿って配置される。そのため、センサ３６１が第１の配置状態であるとき、センサ３６１の検出方向は、用紙Ｓの挿入方向と直交する。このときの、センサ３６１の検出方向を第１の検出方向とする。なお、挿入口３０２には、画像形成装置２０での搬送方向と平行をなす方向で挿入されるため、センサ３６１の第１の検出方向は、用紙Ｓの搬送方向と直交する
【０１１０】
また、図１７Ｂに示すように、センサ３６１が第２の配置状態であるとき、受光部３７１と発光部３７２は、挿入口３０２に対する用紙Ｓの挿入方向と平行をなす方向に沿って配置される。そのため、センサ３６１が第２の配置状態であるとき、センサ３６１の検出方向は、用紙Ｓの挿入方向（搬送方向）と平行をなす。このときの、センサ３６１の検出方向を第２の検出方向とする。
【０１１１】
この変形例にかかる記録媒体検出装置３００Ａでは、用紙Ｓが挿入口３０２に挿入された際に、センサ３６１が第１の配置状態で用紙Ｓを検出し、その後、センサ３６１の配置状態を第２の配置状態に変更させて用紙Ｓを検出する。そのため、変形例にかかる記録媒体検出装置３００Ａでは、用紙Ｓを１回だけ挿入口３０２に挿入するだけで、第１の検出方向と第２の検出方向の２つの方向から用紙Ｓの表面性を検出することができる。その結果、１回の用紙Ｓの挿入動作で第１表面性データと第２表面性データを取得することができ、用紙Ｓの目方向を検出することができる。
【０１１２】
さらに、図１８を参照して第３の実施の形態例にかかる画像形成システムの他の変形例について説明する。なお、第３の実施の形態例にかかる画像形成システム１Ａと異なる点は、記録媒体検出装置のセンサのみであるため、ここではセンサについて説明し、その他の説明は省略する。
図１８は、記録媒体検出装置の他の変形例を示す説明図である。
【０１１３】
図１８に示すように、記録媒体検出装置３００Ｂの検出ユニット３０１内には、第２の実施の形態例にかかる検出部５０Ａと同様に、第１センサ３５１Ａと、第２センサ３５１Ｂが配置されている。
【０１１４】
第１センサ３５１Ａは、第１受光部３７１Ａと、第１発光部３７２Ａとを有している。第１受光部３７１Ａは、第１発光部３７２Ａから照射され用紙Ｓによって反射された光を受光する。第１センサ３５１Ａの第１受光部３７１Ａと第１発光部３７２Ａは、挿入口３０２に対する用紙Ｓの挿入方向と直交する方向に沿って配置される。すなわち、第１センサ３５１Ａの検出方向は、用紙Ｓの挿入方向（搬送方向）と直交する。この第１センサ３５１Ａの検出方向を第１の検出方向とする。
【０１１５】
第２センサ３５１Ｂは、第２受光部３７１Ｂと、第２発光部３７２Ｂとを有している。第２受光部３７１Ｂは、第２発光部３７２Ｂから照射され用紙Ｓによって反射された光を受光する。第２センサ３５１Ｂの第２受光部３７１Ｂと第２発光部３７２Ｂは、挿入口３０２に対する用紙Ｓの挿入方向と平行をなす方向に沿って配置される。すなわち、第２センサ５１Ｂの検出方向は、用紙Ｓの挿入方向（搬送方向）と平行をなす。この第２センサ５１Ｂの検出方向を第２の検出方向とする。
【０１１６】
図１８に示す他の変形例にかかる記録媒体検出装置３００Ｂにおいても、図１７に示す変形例にかかる記録媒体検出装置３００Ａと同様に、用紙Ｓを１回だけ挿入口３０２に挿入するだけで用紙Ｓの目方向を検出することができる。その結果、使用者が行う作業を簡略化することができる。
【０１１７】
以上、実施の形態例について、その作用効果も含めて説明した。しかしながら、上述の実施の形態例に限定されるものではなく、特許請求の範囲に記載した発明の要旨を逸脱しない範囲内で種々の変形実施が可能である。
【０１１８】
上述した実施の形態例では、４組の画像形成ユニットを用いてカラー画像を形成する構成としたが、本発明にかかる画像形成装置としては、１つの画像形成ユニットを用いて単色画像を形成する構成としてもよい。
【０１１９】
さらに、画像形成装置としては、電子写真方式の画像形成装置を適用した例を説明したが、これに限定されるものではなく、例えば、インクを記録媒体に向けて吐出するインクジェットプリンタやその他各種の画像形成装置を適用してもよい。
【０１２０】
さらに、上述した実施の形態例では、記録媒体によって反射した反射光を受光部が受光する例を説明したが、これに限定されるものではない。例えば、受光部と発光部を、記録媒体を介して対向する位置に設けもよい。そして、受光部は、発光部から照射されて記録媒体を透過した光を受光する。
【０１２１】
また、検出部の検出結果や、オフライン方式の記録媒体検出装置において挿入方向を表示する表示部としては、操作表示パネル２４０に限定されるものではない。例えば、記録媒体検出装置に表示部を設けてもよく、あるいはジョブ情報を画像形成装置２０に出力する外部装置（クライアント端末、管理装置サーバ等や、モバイル端末）の表示部を適用してもよい。
【０１２２】
また、検出部を制御する制御部として、センサとは異なる位置に配置され、画像形成装置２０全体を制御する制御部２００を適用した例を説明したが、これに限定されるものではなく、制御部２００とは別に検出部を制御する検出用制御部を設けてもよい。そして、検出用制御部は、検出結果を制御部２００と情報の送受信を行い、制御部２００から検出動作を受信したり、検出結果を制御部２００に送信したりする。また、検出用制御部に記録媒体の目方向や種類に応じて制御パラメータを格納してもよい。さらに、制御パラメータを外部のサーバに格納し、記録媒体を検出した際に、外部のサーバから制御パラメータを受信してもよい。
【０１２３】
また、上記の各構成要素、機能、処理部等は、それらの一部又は全部を、例えば集積回路の設計などによりハードウエアで実現してもよい。また、上記の各構成要素、機能等は、プロセッサがそれぞれの機能を実現するプログラムを解釈し、実行することによりソフトウエアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【０１２４】
また、記録媒体として用紙を適用した例を説明したが、これに限定されるものではなく、記録媒体としては、フィルムや布地等その他各種のものが適用可能である。
【０１２５】
なお、本明細書において、「平行」及び「直交」等の単語を使用したが、これらは厳密な「平行」及び「直交」のみを意味するものではなく、「平行」及び「直交」を含み、さらにその機能を発揮し得る範囲にある、「略平行」や「略直交」の状態であってもよい。
【符号の説明】
【０１２６】
１、１Ａ…画像形成システム、  １０…給紙ユニット、  ２０、２０Ａ…画像形成装置、  ５０、５０Ａ…検出部（記録媒体検出装置）、  ５１、５１Ａ、５１Ｂ、３５１、３５１Ａ、３５１Ｂ、３６１…センサ、  ７１、７１Ａ、７１Ｂ、３７１、３７１Ａ、３７１Ｂ…受光部、  ７２、７２Ａ、７２Ｂ、３７２、３７２Ａ、３７２Ｂ…発光部、  ２００…制御部、  ２３０…用紙搬送部、  ２４０…操作表示パネル、  ２５０…メモリ（記憶部）、  ２６０…画像処理部、  ２７０…画像形成部、  ２９０…反転搬送部、  ３００、３００Ａ、３００Ｂ…記録媒体検出装置、  ３０１…検出ユニット、  ３０２…挿入口、  Ｄ１…第１表面性データ、  Ｄ２…第２表面性データ、  Ｓ…用紙（記録媒体）、  Ｓ１…凹凸
【図１】
2022001522.tif 000003
【図２】
2022001522.tif 000004
【図３】
2022001522.tif 000005
【図４】
2022001522.tif 000006
【図５】
2022001522.tif 000007
【図６】
2022001522.tif 000008
【図７】
2022001522.tif 000009
【図８】
2022001522.tif 000010
【図９】
2022001522.tif 000011
【図１０】
2022001522.tif 000012
【図１１】
2022001522.tif 000013
【図１２】
2022001522.tif 000014
【図１３】
2022001522.tif 000015
【図１４】
2022001522.tif 000016
【図１５】
2022001522.tif 000017
【図１６】
2022001522.tif 000018
【図１７】
2022001522.tif 000019
【図１８】
2022001522.tif 000020